(57)【要約】【課題】従来のＬＥＤによる鏡面温度上昇を図る方法では、鏡面の温度上昇とともに、鏡面を照明することも目的としているため、ＬＥＤ発光面が鏡面側に向き放熱面が鏡の背面側に向くように取り付けられており、鏡面の温度上昇という点では効果は半減していた。本願発明の課題は、ＬＥＤの放熱作用を利用して鏡面温度を上昇させて鏡面のくもりを防止し、しかもＬＥＤによって放出された熱を効率よく鏡面に伝搬することができるくもり止め機能付き鏡を提供することにある。【解決手段】本願発明のくもり止め機能付き鏡は、高熱伝導材を含有する取り付け具を備え、この取り付け具は鏡背面が装着される鏡設置面とＬＥＤが装着されるＬＥＤ装着面とを有し、ＬＥＤ装着面にＬＥＤの放熱面を装着した取り付け具は、鏡設置面で鏡背面に取り付けられ、ＬＥＤの放熱面が鏡背面に対して垂直又は略垂直となったものである。【選択図】図１
2011015909.tif 000002
【特許請求の範囲】
【請求項１】
鏡背面にＬＥＤを設置し、そのＬＥＤの放熱によって鏡面のくもりを防止するくもり止め機能付き鏡において、前記ＬＥＤの放熱面を鏡背面に向けて直に又は高熱伝導材を介して鏡の背面に取り付けたことを特徴とするくもり止め機能付き鏡。
【請求項２】
鏡背面にＬＥＤを設置し、そのＬＥＤの放熱によって鏡面のくもりを防止するくもり止め機能付き鏡において、鏡の背面に高熱伝導材を取り付け、ＬＥＤの放熱面を前記高熱伝導材に向け発光面を鏡背面に対して垂直又は略垂直に向けて、ＬＥＤを前記高熱伝導材に取り付けたことを特徴とするくもり止め機能付き鏡。
【請求項３】
請求項１又は請求項２記載のくもり止め機能付き鏡において、鏡の背面から鏡の外周側に導光板を配置して、ＬＥＤからの光を前記導光板により鏡の外周側に導光して、鏡の外側周辺を照明できるようにしたことを特徴とするくもり止め機能付き鏡。
【請求項４】
請求項１乃至請求項３のいずれかに記載のくもり止め機能付き鏡において、鏡又はその周囲に人感センサーを設け、その人感センサーが人の存在を検知するとＬＥＤが発光し、人の存在が検知されないとＬＥＤが発光しないようにしたことを特徴とするくもり止め機能付き鏡。
【発明の詳細な説明】
【技術分野】
【０００１】
本願発明は、ＬＥＤの放熱によって鏡面のくもり防止ができ、鏡の周囲を照明することもできるくもり止め機能付き鏡に関するものである。
【背景技術】
【０００２】
洗面台、水飲み場、手洗い場、風呂場の脱衣所、浴室内などの、湯や水を扱う場所には鏡が設置されている場合が多い。湯や水を扱う場所では空気中に水分を多く含み、これが結露となって鏡をくもらせ、鏡が見えにくくなるということが起こる。
【０００３】
従来、結露防止のため、鏡背面に熱線などのヒーターを設置して鏡面温度を上げる方法が採られていた。しかしながら、このような方法では鏡面の温度上昇に時間がかかり、設備としても複雑化し、ヒーターが高価であるためコスト高となり、消費電力が多くてランニングコストも嵩むという問題があった。
【０００４】
前記問題を解決するために、特許文献１では、ＬＥＤの放熱を利用して鏡面の温度上昇を図る方法を提案している。
【先行技術文献】
【特許文献】
【０００５】
【特許文献１】特開２００８−２２０４９３号公報
【発明の概要】
【発明が解決しようとする課題】
【０００６】
特許文献１では、鏡面の温度上昇とともに鏡面を照明することも目的としているためＬＥＤの発光面を鏡面側に向け、ＬＥＤの放熱面（発光面と反対側面）を鏡の背面側に向け、ＬＥＤの放熱面に熱伝導体を配置し、熱伝導体からの伝熱により鏡の背面を温度上昇させている。このため熱伝導率が悪く、鏡の温度上昇効率がはかばかしくなく、くもり止め効果が十分に発揮されなかった。また、鏡背面からＬＥＤで直接照明するため、この照明部分が鏡として使用できないという問題もあった。
【０００７】
本願発明の課題は、ＬＥＤの放熱を効率よく活用して鏡面温度を上昇させて鏡面のくもりを防止し、必要に応じて、鏡の周囲の照明もできるようにしたくもり止め機能付き鏡を提供することにある。
【課題を解決するための手段】
【０００８】
本願発明のくもり止め機能付き鏡は、鏡の背面にＬＥＤを取り付け、そのＬＥＤの放熱によって鏡面のくもりを防止するくもり止め機能付き鏡において、前記ＬＥＤの放熱面を鏡背面に向けて直に又は高熱伝導材を介して鏡の背面に取り付けたものである。
【０００９】
本願発明のくもり止め機能付き鏡は、鏡背面にＬＥＤを設置し、そのＬＥＤの放熱によって鏡面のくもりを防止するくもり止め機能付き鏡において、鏡の背面に高熱伝導材を取り付け、ＬＥＤの放熱面を前記高熱伝導材に向け発光面を鏡背面に対して垂直又は略垂直に向けて、ＬＥＤを前記高熱伝導材に取り付けたものである。
【００１０】
前記いずれの場合も、鏡の背面から鏡の外周側に導光板を配置して、ＬＥＤからの光を前記導光板により鏡の外周側に導光して、鏡の外側周辺を照明できるようにすることもできる。
【００１１】
本願発明のくもり止め機能付き鏡は、鏡又はその周囲に人感センサーを設け、その人感センサーが人の存在を検知するとＬＥＤが発光し、人の存在が検知されないとＬＥＤが発光しないようにすることもできる。
【発明の効果】
【００１２】
本願発明のくもり止め機能付き鏡には次のような効果がある。
（１）ＬＥＤの放熱面が鏡の背面に直に又は高熱伝導材を介して取り付けられているので、ＬＥＤからの放熱を効率良く鏡面に伝熱することができ、くもり止め効率が良い。
（２）長寿命を特徴とするＬＥＤを熱源としているので、鏡のくもり止め効果が長期間持続され、ＬＥＤ交換の手間がほとんどなく、維持、管理が容易になる。
（３）ＬＥＤを使用するので、鏡の背面に電熱線を配置する場合に比して、構造が簡潔で小型化でき、安価な製品を容易に製造でき、消費電力も少なく、省エネ効果もある。
（４）ＬＥＤの光を導光板で鏡の背面から鏡の外まで導光できるので、鏡面のくもり防止に加えて、鏡周辺を照明することもできる。
（５）人感センサーを備えることで、スイッチ操作の手間を省力できるとともに、エネルギーの無駄を防止でき、省エネにも役立つ。
【図面の簡単な説明】
【００１３】
【図１】ＬＥＤをその放熱面を鏡の背面に向けて鏡の背面に直接取り付けたくもり止め機能付  き鏡の斜視図。
【図２】ＬＥＤの放熱面を鏡の背面の高熱伝導材に向けて取り付けたくもり止め機能付き鏡の  斜視図。
【図３】ＬＥＤの放熱面を鏡の背面の高熱伝導材に取り付けて、発光面を横向きにし、発光面  の側方に導光板を配置したくもり止め機能付き鏡の斜視図。
【図４】図３のＡ−Ａ矢視側面図。
【図５】図３のＢ−Ｂ矢視側面図。
【発明を実施するための形態】
【００１４】
（実施形態１）
本願発明のくもり止め機能付き鏡の一実施形態を図１に基づいて説明する。
図１は、本願発明のくもり止め機能付き鏡１を背面側から見た斜視図である。本実施形態では鏡１の形状を矩形としているが、鏡１の形状は多角形、円形、楕円形、曲線を交えた形状など任意の形状とすることができる。
【００１５】
鏡１の背面には、ＬＥＤ２の放熱面が直に取り付けられている。図では鏡１の背面の六箇所にＬＥＤ２を取り付けてあるが、ＬＥＤ２の取り付け数及び取り付け位置は鏡１の背面の一又は二箇所以上の任意の箇所に設置することができる。望ましくは、個々のＬＥＤ２が鏡全体に対して均一に放熱することができるよう配置するのがよい。
【００１６】
ＬＥＤ２には任意の発光量（発熱量）のものを使用可能であるが、放熱効果を考えればパワーＬＥＤが好適である。
【００１７】
図１のＬＥＤ２は鏡１の背面（以下、「鏡背面」という。）に直接取り付けられており、放熱面を鏡背面に向け、発光面を鏡背面と反対側（図１の紙面手前側）に向けて取り付けてある。
【００１８】
ＬＥＤ２を鏡背面に取り付ける方法としては、接着剤や両面テープを用いた接着方法、Ｌ型金具などの取り付け治具を用いた固定方法、鏡１の製造過程において背面に組み込む方法、など種々の方法を採用することができる。接着方法を用いる場合、ＬＥＤ２からの放熱を効率よく鏡背面に伝搬させるため、接着剤や両面テープにアルミニウムや銅あるいはラヒーマ（登録商標）といった高熱伝導材を含有させたものを使用するのが望ましい。
【００１９】
図１では鏡１の上方に照明具３が設置されている。この照明具３には複数個のＬＥＤ２が横一列（鏡の幅方向）に配置されており、これらＬＥＤ２の発光によって鏡表面を上方から照明できるようにしてある。照明具３は可能であれば、ＬＥＤ２に限らず細い蛍光灯や他の電灯などを使用することも可能である。照明具３は発光面を鏡表面（図１の紙面奥側）に向けて配置することも、下向きに配置することもできる。いずれの場合も鏡表面側を照明することができる。
【００２０】
鏡背面に設置されたＬＥＤ２は電源４に接続されており、照明具３のＬＥＤ２も同じ電源４に接続させると一つの電源４を共用できる。
【００２１】
電源４には、人感センサー５が接続されており、この人感センサー５により電源４のＯＮ／ＯＦＦを切り替える。もちろん人感センサー５を設置せず、手動でスイッチの入／切を行ってもよい。
【００２２】
（実施形態１の使用例）
図１の鏡１は、その前に人が立つと、人感センサー５が人を検知して電源４をＯＮにし、鏡背面に設置された六箇所のＬＥＤ２が発光し放熱もする。その放熱により鏡背面が加温され、鏡背面から徐々に鏡１の温度が上昇して鏡表面の温度も上昇し、気中の水分の結露化を防止して鏡表面のくもりを防止することができる。同時に、照明具３のＬＥＤ２も発光し、鏡表面を照明する。
【００２３】
（実施形態２）
本願発明のくもり止め機能付き鏡の第２の実施形態を図２に基づいて説明する。
本実施形態は、実施形態１のＬＥＤ２が高熱伝導材を介して鏡背面に取り付けた場合であり、その基本的構造や使用方法は実施形態１と共通する。
【００２４】
図２は、本願発明のくもり止め機能付き鏡１を背面側から見た斜視図である。鏡１の背面にはブロック状の高熱伝導材６が取り付けられており、その高熱伝導材６にＬＥＤ２が取り付けられている。ＬＥＤ２はその放熱面を鏡背面（図２の紙面奥側）に向け、発光面を反対面（図２の紙面手前側）に向けて高熱伝導材６に取り付けてある。
【００２５】
ＬＥＤ２からの放熱を効率良く鏡１に伝搬するため、高熱伝導材６にはアルミニウムや銅あるいはラヒーマといったもの使用する。この高熱伝導材６は、ブロック状、表面積の広い薄板状、シート状、テープ状といった各種形状とすることができる。なお高熱伝導材６は熱伝導性の高いものであれば、アルミニウムや銅あるいはラヒーマ以外のものであっても使用可能であり、その他の金属類でも構わない。ラヒーマは通常は粉末状であるため、樹脂製のブロックに含有させたり、樹脂製やアルミニウム製や銅製などのブロックの表面に塗布して使用したり、ラヒーマを含んだシート状、テープ状のものを樹脂製等のブロックの表面に貼り付けて使用たり、種々の態様で使用することができる。
【００２６】
図２では高熱伝導材６の形状を六面体のブロック状の六面体としているが、この形状に限らず他の任意形状、例えば、円形、星形等々とすることができるが、熱伝導効率のよい形状、厚さ、表面積のものが望ましい。
【００２７】
鏡背面への高熱伝導材６の取り付け方法、高熱伝導材６へのＬＥＤ２の固定方法にも、接着剤や両面テープを用いた接着方法、Ｌ型金具などの治具を用いたボルト固定方法、製造過程から組み込む方法、など種々の方法を採用することができる。接着方法を用いる場合、ＬＥＤ２からの放熱を効率よく鏡背面に伝えるため、接着剤や両面テープにも高熱伝導性のものを使用するのが望ましい。
【００２８】
（実施形態３）
本願発明のくもり止め機能付き鏡の第３の実施形態を図３に基づいて説明する。
図３の実施形態は、ＬＥＤ２の発光面が鏡背面に対して略垂直（垂直含む）となるように、ＬＥＤ２を鏡背面に取り付けた場合を説明するための実施形態であって、基本的構造や使用方法は実施形態１、実施形態２と共通する。
【００２９】
図３は、本願発明のくもり止め機能付き鏡１を背面側から見た斜視図である。鏡１の背面にはブロック状の高熱伝導材６が取り付けられ、その高熱伝導材６の側面にＬＥＤ２が取り付けられている。ＬＥＤ２の発光面は鏡背面に対して略垂直（垂直含む）方向であって鏡１の外周方向を向いており、ＬＥＤ２の放熱面は鏡背面に対して略垂直方向であって鏡１の中心方向を向いている。具体的には図３の右側の３個の高熱伝導材６に取り付けられたＬＥＤ２は発光面が右側に向き、放熱面が左側に向いており、左側の３個の高熱伝導材６に取り付けられたＬＥＤ２は発光面が左側に向き、放熱面が右側に向いている。図３のうち最上段に配置された二つのＬＥＤ２は高熱伝導材６の上側面に装着して、発光面が上方向となるように取り付けてもよく、図３のうち最下段に配置された二つのＬＥＤ２は高熱伝導材６の下側面に装着して、発光面が下方向となるように取り付けてもよい。要は、ＬＥＤ２の放熱面が高熱伝導材６に接触し、ＬＥＤ２の発光面が鏡１の外側に出射するように装着されれば、ＬＥＤ２の光の向きは上下、左右、斜め方向いずれであっても構わない。ＬＥＤ２から鏡１の外周方向へ向けて発光されることにより、鏡１の周辺が明るく照明されて、暗い場所であっても鏡が利用しやすくなる。
【００３０】
高熱伝導材６は実施形態２の高熱伝導材６と同様の材料、形状、構造、サイズとすることができる。図３の高熱伝導材６の配置、個数、取り付け方法、高熱伝導材６へのＬＥＤ２を取り付け方法、取り付けに使用するテープ、接着剤の材質、性能等も任意に選択可能であり、実施形態２と同様にすることもできる。
【００３１】
図３では導光板７ａ、７ｂが鏡背面側でＬＥＤ２の発光面の側方に設置されている。この導光板７ａ、７ｂはＬＥＤ２から発光された光を効率よく伝搬して鏡１の周辺を照明するためのものである。導光板７ａ、７ｂには汎用の導光板を使用することも新たに発明される新規な導光板を使用することもできる。
【００３２】
図３の導光板７ａ、７ｂは図４の側面図に示すようにＬＥＤ２からの光が導光板７ａの中を伝搬するように、導光板７ａ、７ｂの側面をＬＥＤ２の発光面に対向させて配置することができる。この場合、光が効率良く伝搬するように導光板７ａの前面８ａ（図４）及び背面８ｂ（図４）に反射シートを設けることもできる。
【００３３】
図３の導光板７ａ、７ｂは図５の側面図に示すようにＬＥＤ２からの光が導光板７ｂの背面側を拡散伝搬されるように、ＬＥＤ２の発光面が導光板７ａ、７ｂの側方で導光板７ａ、７ｂの裏面外側に位置するように配置することができる。導光板７ａ、７ｂの裏面９は光の散乱効率を高めて伝搬面積を広くすることができる波型としてある。裏面９の形状は光の散乱効率を高めて伝搬面積を広くすることができれば他の形状であっても良い。
【産業上の利用可能性】
【００３４】
本願発明のくもり止め機能付き鏡は、家庭の浴室内や洗面台に限らず、銭湯や温泉の脱衣所、公衆トイレの手洗い場、美容室や利用室での洗髪台、学校・病院での洗面所など、様々な場所に設置される鏡に利用することができる。また、鏡に代えて通常のガラス窓やガラス戸に応用することもできる。
【符号の説明】
【００３５】
１    くもり止め機能付き鏡
２    ＬＥＤ
３    照明具
４    電源
５    人感センサー
６    高熱伝導材
７ａ  導光板（右側）
７ｂ  導光板（左側）
８ａ  導光板の前面
８ｂ  導光板の後面
９    導光板の裏面
【図１】
2011015909.tif 000003
【図２】
2011015909.tif 000004
【図３】
2011015909.tif 000005
【図４】
2011015909.tif 000006
【図５】
2011015909.tif 000007